【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
無線通信システムにおける携帯端末機の資源割り当て方法において、
物理下向き制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をモニターするステップと、
前記物理下向き制御チャネルで下向きメッセージが受信されると、前記受信されたメッセージが半永久的資源割り当てメッセージであるか否かを、前記携帯端末機の半永久的資源割り当て用識別子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ,  ＳＰＳ  Ｃ−ＲＮＴＩ)を利用して判断するステップと、
前記半永久的資源割り当てメッセージのＮＤＩ（Ｎｅｗ  Ｄａｔａ  Ｉｎｄｉｃａｔｏｒ）が１である場合、前記半永久的資源割り当てメッセージは、再伝送資源割り当てのためのものと判断するステップと、
前記半永久的資源割り当てメッセージの前記ＮＤＩが０である場合、前記半永久的資源割り当てメッセージは、半永久的資源割り当てのためのものと判断するステップと、
を含むことを特徴とする資源割り当て方法。
【請求項２】
前記受信されたメッセージが前記半永久的資源割り当てメッセージであるか否かを判断するステップは、
前記受信されたメッセージに対して、前記半永久的資源割り当て用識別子（ＳＰＳ  Ｃ−ＲＮＴＩ)を利用してＣＲＣ（Ｃｙｃｌｉｃ  Ｒｅｄｕｎｄａｎｃｙ  Ｃｈｅｃｋ）テストを行うことを特徴とする請求項１に記載の資源割り当て方法。
【請求項３】
前記受信されたメッセージが前記半永久的資源割り当てメッセージであるか否かを判断するステップは、
前記受信されたメッセージが前記ＣＲＣテストを通過すると、前記受信されたメッセージを前記半永久的資源割り当てメッセージとして判断することを特徴とする請求項１または２に記載の資源割り当て方法。
【請求項４】
前記半永久的資源割り当てメッセージは、前記再伝送資源または前記半永久的資源に関する資源割り当て情報をさらに含むことを特徴とする請求項１〜３の何れか１項に記載の資源割り当て方法。
【請求項５】
無線通信システムにおける基地局の資源割り当て方法において、
再伝送資源または半永久的資源を携帯端末機に割り当てるステップと、
前記再伝送資源が前記携帯端末機に割り当てられると、ＮＤＩ（Ｎｅｗ  Ｄａｔａ  Ｉｎｄｉｃａｔｏｒ）を１に設定するステップと、
前記半永久的資源が前記携帯端末機に割り当てられると、ＮＤＩ（Ｎｅｗ  Ｄａｔａ  Ｉｎｄｉｃａｔｏｒ）を０に設定するステップと、
前記携帯端末機の半永久的資源割り当て用識別子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ,  ＳＰＳ  Ｃ−ＲＮＴＩ)を利用して、前記ＮＤＩを含む半永久的資源割り当てメッセージを生成するステップと、
物理下向き制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）で前記半永久的資源割り当てメッセージを前記携帯端末機に伝送するステップと、
を含むことを特徴とする資源割り当て方法。
【請求項６】
前記半永久的資源割り当てメッセージは、前記半永久的資源割り当て用識別子（ＳＰＳ  Ｃ−ＲＮＴＩ)を利用して算出されるＣＲＣ（Ｃｙｃｌｉｃ  Ｒｅｄｕｎｄａｎｃｙ  Ｃｈｅｃｋ）コードをさらに含むことを特徴とする請求項５に記載の資源割り当て方法。
【請求項７】
前記半永久的資源割り当てメッセージは、前記再伝送資源または前記半永久的資源に関する資源割り当て情報をさらに含むことを特徴とする請求項５または６に記載の資源割り当て方法。
【請求項８】
無線通信システムにおける携帯端末機の資源割り当て装置において、
データを送受信する送受信部と、
物理下向き制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）をモニターし、前記物理下向き制御チャネルで下向きメッセージが受信されると、前記受信されたメッセージが半永久的資源割り当てメッセージであるか否かを、前記携帯端末機の半永久的資源割り当て用識別子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ,  ＳＰＳ  Ｃ−ＲＮＴＩ)を利用して判断するＰＤＣＣＨ処理部と、
前記半永久的資源割り当てメッセージのＮＤＩ（Ｎｅｗ  Ｄａｔａ  Ｉｎｄｉｃａｔｏｒ）が１である場合、前記半永久的資源割り当てメッセージは、再伝送資源割り当てのためのものと判断し、また、前記半永久的資源割り当てメッセージの前記ＮＤＩが０である場合、前記半永久的資源割り当てメッセージは、半永久的資源割り当てのためのものと判断する半永久的資源制御機と、
を含むことを特徴とする資源割り当て装置。
【請求項９】
前記ＰＤＣＣＨ処理部は、
前記受信されたメッセージに対して、前記半永久的資源割り当て用識別子（ＳＰＳ  Ｃ−ＲＮＴＩ)を利用してＣＲＣ（Ｃｙｃｌｉｃ  Ｒｅｄｕｎｄａｎｃｙ  Ｃｈｅｃｋ）テストを行うことを特徴とする請求項８に記載の資源割り当て装置。
【請求項１０】
前記ＰＤＣＣＨ処理部は、
前記受信されたメッセージが前記ＣＲＣテストを通過すると、前記受信されたメッセージを前記半永久的資源割り当てメッセージとして判断することを特徴とする請求項８または９に記載の資源割り当て装置。
【請求項１１】
前記半永久的資源割り当てメッセージは、前記再伝送資源または前記半永久的資源に関する資源割り当て情報をさらに含むことを特徴とする請求項８〜１０の何れか１項に記載の資源割り当て装置。
【請求項１２】
無線通信システムにおける基地局の資源割り当て装置において、
再伝送資源または半永久的資源を携帯端末機に割り当てるスケジューラと、
前記再伝送資源が前記携帯端末機に割り当てられると、ＮＤＩ（Ｎｅｗ  Ｄａｔａ  Ｉｎｄｉｃａｔｏｒ）を１に設定し、また、前記半永久的資源が前記携帯端末機に割り当てられると、ＮＤＩ（Ｎｅｗ  Ｄａｔａ  Ｉｎｄｉｃａｔｏｒ）を０に設定する半永久的資源制御機と、
前記携帯端末機の半永久的資源割り当て用識別子（Ｓｅｍｉ−Ｐｅｒｓｉｓｔｅｎｔ  Ｓｃｈｅｄｕｌｉｎｇ  Ｃｅｌｌ  Ｒａｄｉｏ  Ｎｅｔｗｏｒｋ  Ｔｅｍｐｏｒａｒｙ  Ｉｄｅｎｔｉｆｉｅｒ,  ＳＰＳ  Ｃ−ＲＮＴＩ)を利用して、前記ＮＤＩを含む半永久的資源割り当てメッセージを生成する資源割り当てメッセージ生成器と、
物理下向き制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）で前記半永久的資源割り当てメッセージを前記携帯端末機に伝送する送受信部と、
を含むことを特徴とする資源割り当て装置。
【請求項１３】
前記半永久的資源割り当てメッセージは、前記半永久的資源割り当て用識別子（ＳＰＳ  Ｃ−ＲＮＴＩ)を利用して算出されるＣＲＣ（Ｃｙｃｌｉｃ  Ｒｅｄｕｎｄａｎｃｙ  Ｃｈｅｃｋ）コードをさらに含むことを特徴とする請求項１２に記載の資源割り当て装置。
【請求項１４】
前記半永久的資源割り当てメッセージは、前記再伝送資源または前記半永久的資源に関する資源割り当て情報をさらに含むことを特徴とする請求項１２または１３に記載の資源割り当て装置。